(57)【要約】      （修正有）【課題】  遠隔地にある海や山などの景勝地の風景や、海中の状況、花畑または開花中の花などの時間の経過と共に刻々と変化するライブ映像を、絵画のごとく室内の装飾品として利用できるようにすること、および複数のチャンネルのライブ画像を好みに合わせて任意に選択できるようにする。【解決手段】  ライブ映像配信システムは、複数の撮像手段と、中継手段１と、該中継手段１で集められた各画像データを各チャンネル毎に分けて同時に送信する配信手段２と、画像データを表示する特定の表示手段（Ｈ−１〜Ｈ−ｎ）と、該表示手段において、受信した画像データ−の中から、好みのチャンネルの画像データを選択して表示出来るようにしたものであって、変化しない絵画とは趣の違った室内の鑑賞用の装飾品としての利用価値がある。【選択図】  図１
2005130163.tif 000002
【特許請求の範囲】
【請求項１】
時間の経過によって変化する景勝地の風景や、時間によって刻々と変化する場面が観賞用の映像として評価される被写体などを撮影するための複数の撮像手段と、
該撮像手段で撮影された画像データをそれぞれ特定の回線を利用して集める中継手段と、
該中継手段で集められた各画像データを各チャンネル毎に分けて同時に送信する配信手段と、
該配信手段から特定の回線を利用して配信された画像データを表示する特定の表示手段と、
該表示手段において、受信した画像データの中から好みのチャンネルの画像データを選択して表示できるようにしたこと
を特徴とするライブ映像配信システム。
【請求項２】
前記撮像手段は、風景や被写体に対して、固定した位置に設置されていること
を特徴とする請求項１に記載のライブ映像配信システム。
【請求項３】
前記特定の表示手段は、特定の識別コードを有し、壁掛け式に形成された液晶表示パネルまたはプラズマ表示パネルであること
を特徴とする請求項１に記載のライブ映像配信システム。
【発明の詳細な説明】
【技術分野】
【０００１】
本発明は、例えば、海や山などの景勝地の風景や、特定場所の海中の状況、花畑または開花中の花などの画像データーを一般回線または特定回線を利用して集め、その画像データーを一般家庭や各会社または公共施設の応接室に壁掛け式に設けた表示モニターにリアルタイムで表示できるようにして、絵画のような室内の装飾品に模したライブ映像配信システムに関するものである。
【背景技術】
【０００２】
一般家庭や各会社または公共施設の応接室には、額に入った絵画が飾られており、その絵画は来客に見せるために高価なものもあるが、一般的には室内を装飾するためのものである。しかしながら、絵画は変化がないので、同じものを見続けていると興味が薄れることもあって、季節によって絵画を取り替えるようにしているところもある。
【０００３】
また、リアルタイムで表示できるライブ映像といえば、例えば、スポーツの中継放送または事件現場などからの中継放送があり、これらはその現場にテレビ局の中継車が出動し、テレビカメラを使用しカメラマンによって映し出されたライブ映像を中継車から送信することによって一般家庭の各アンテナで受信して各家庭のテレビにライブ映像が映し出されるようになっている。そして、景勝地の風景などは、天気が良く綺麗に見える季節または時間帯を選んで撮影して録画し、その後編集してから放送することが多い。
【０００４】
その他に、例えば、スーパーマーケットやコンビニエンスストアなどの店舗、銀行、ＡＴＭ設置場所または商店街などで、犯罪防止などのために固定式監視カメラが複数使用され、各カメラで撮影された映像はコードを介して守衛室または監視室内に設置された各モニターにライブ映像として映し出されると共に、それぞれの映像が録画（格納）される防犯または監視システムも公知になっている。
【特許文献１】特開２００３−２５６９４９号公報
【０００５】
しかしながら、ライブ映像が映し出されるスポーツまたは事件現場の中継は、現場に放送設備を装備した中継車を出動させると共に、テレビカメラマンも一緒に出動させて映像を撮さなければならず、そのための作業にしても費用にしても大掛かりなものとなり、しかも、限られた時間しか放送できないものである。
【０００６】
また、ライブ映像が映し出される防犯用の固定式監視カメラを使用した防犯または監視システムにおいては、監視カメラとモニターとがコードで接続されているため、建造物の中とか限られた極く狭い領域においてしか適用できないものであると共に、各カメラの映像の録画機能をそれぞれ備えていることが必須の要件であることから、設備が大げさになるばかりでなく、室内の装飾品として観賞用の絵になるようなモニター表示とは全く無縁のものである。
【発明の開示】
【発明が解決しようとする課題】
【０００７】
従来例のライブ映像の配信または監視システムにおいて、解決しようとする課題は、遠隔地にある海や山などの景勝地の風景や、海中の状況、花畑または開花中の花などの時間の経過と共に刻々と変化するライブ映像を、絵画のごとく室内の装飾品として利用できるようにすること、および複数のチャンネルのライブ画像を好みに合わせて任意に選択できるようにすることであって、例えば、携帯機器用またはブロードバンドの回線を利用して複数のチャンネルの絵になるライブ映像を配信するシステムを提供することである。
【課題を解決するための手段】
【０００８】
本発明は、時間の経過によって変化する景勝地の風景や、時間によって刻々と変化する場面が観賞用の映像として評価される被写体などを撮影するための複数の撮像手段と、該撮像手段で撮影された画像データをそれぞれ特定の回線を利用して集める中継手段と、該中継手段で集められた各画像データを各チャンネル毎に分けて同時に送信する配信手段と、該配信手段から特定の回線を利用して配信された画像データを表示する特定の表示手段と、該表示手段において、受信した画像データの中から好みのチャンネルの画像データを選択して表示できるようにしたことを最も主要な特徴とするライブ映像配信システムである。
【０００９】
本発明のライブ映像配信システムは、前記撮像手段は、風景や被写体に対して、固定した位置に設置されていること、および前記特定の表示手段は、特定の識別コードを有し、壁掛け式に形成された液晶表示パネルまたはプラズマ表示パネルであること、を付加的な要件として含むものである。
【発明の効果】
【００１０】
本発明のライブ映像配信システムは、遠隔地にある景勝地の風景や、花などの被写体を絵画のように映像として映し出して画像データとして配信し、その画像データを表示部に表示させて室内の装飾品とするものであって、しかも、風景や花などは時間の経過と共に変化し、また、季節によっても状態が変化または花であれば種類が変わるので、例えば、同じポイントで撮影する風景であっても、朝・昼・夕では異なるし、また、晴天と雨天でも異なるし、更に、四季でも全く異なるカラー色になるのであって、複数の画像データの中から好みの画像データを選択して表示でき、変化しない絵画とは趣の違った室内の鑑賞用の装飾品としての利用価値が優れているのである。
【発明を実施するための最良の形態】
【００１１】
景勝地や海岸線の風景、その他の被写体を、固定したポイントで時間の経過と共に変化する状況を撮影し続ける複数のカメラからなる撮影または撮像手段と、該撮像手段で撮影した画像データを特定の回線を介して集める中継手段と、集められた各画像データをそれぞれチャンネル毎に分けて特定の回線を介して同時に配信する配信手段と、配信された画像データを絵画的にモニター表示できる表示手段とからなるものであって、該表示手段において、受信した画像データの中から好みのチャンネルの画像データを選択して表示できるようにして、一つの表示手段でありながら、複数の風景を選択して絵画的に表示でき、室内の装飾品として利用できるようにしたことによって、実現化したものである。
【実施例１】
【００１２】
図１は、本発明に係るライブ映像配信システムの構成例を略示的に示す説明図であり、該ライブ映像配信システムは、基本的には中継手段である中継装置１と、配信手段である配信装置２と、撮像手段である複数のカメラＣ−１〜Ｃ−ｎと、表示手段である配信先の複数のモニター、即ち表示部Ｈ−１〜Ｈ−ｎとからなるものであって、受信・送信の中継手段として衛星３を使用することもある。
【００１３】
この場合に、中継装置１と配信装置２とは、いわゆる配信本部に設けられており、両者間の情報は緊密にやりとりできるように接続されている。そして、中継装置１には複数のカメラＣ−１〜Ｃ−ｎが、所要の電話回線、携帯機器向け回線またはブロードバンド等のの特定回線５を介して接続可能になっており、また、配信装置２には、同様の電話回線、携帯機器向け回線またはブロードバンド等の特定回線６を介して複数の表示部Ｈ−１〜Ｈ−ｎが接続可能になっている。
【００１４】
複数のカメラＣ−１〜Ｃ−ｎは、例えば、景勝地である富士山とか海の景色等を撮影するために、好ましいポイントを選択して設置し固定させるものである。各ポイントに設置固定される複数のカメラＣ−１〜Ｃ−ｎは、例えば、一般の民家、ホテル、旅館または公共の施設などの建造物の軒下またはベランダなどの所要位置で、カメラが風雨に直接さらされない状態で設置されるのが好ましい。このように建造物の一部に設置することで、電源および送信用の回線５が容易に確保できるのである。
【００１５】
また、その好ましいポイントにおいて、カメラの設置位置が電話回線またはブロードバンドの回線を利用できない状況にある場合には、所要の携帯機器用の送信器７により衛星３を利用して画像データを送信し、中継装置１においても受信用アンテナ１ａで画像データを受信できるようになっている。この場合に、電源としては、いわゆる太陽光を利用した「ソーラー電池」と充電可能なバッテリーとの併用が好ましい。また、カメラは所要のケース内に納められ、該ケースにおいては、レンズの前面側に透明なガラス板を配設すると共にフード状部が形成され、カメラおよびガラス板が直接風雨にさらされない状態にして設置される。
【００１６】
中継手段、即ち中継装置１においては、各カメラＣ−１〜Ｃ−ｎを介して集められた画像データを個別にモニターして見ることができると共に、それぞれ一時的に個別格納できる格納部を有している。そして、集められた各画像データは、それぞれ配信手段である配信装置２に供給され、該配信装置２によって各チャンネルに分けて同時に配信される。
【００１７】
この場合に、配信装置２から配信または送信された画像データを受信できるのは、受信契約をし特定の識別コードを付与した表示部Ｈ−１〜Ｈ−ｎの所有者のみであって、例えば、インターネットを介し電話回線、携帯機器用の回線、またはブロードバンドの回線６等を通じて付与された特定の識別コードを用いてログインできるのである。そして受信者は、複数あるチャンネルの中から、例えば、富士山の画像データまたは海の風景の画像データなどを好みに合わせて適宜選択して受信することができるのである。
【００１８】
更に、配信装置２からの送信については、スクランブルを掛けて送信用アンテナ２ａを使用し衛星３を利用して送信することもできる。この場合の受信者側においては、受信用アンテナ８を介して受信するのであり、全国どこででも契約者のみがスクランブルを解除して受信することができるのである。
【００１９】
因みに、チャンネルが選択できる表示部Ｈ−１〜Ｈ−ｎについて、その一つを図２に示してある。表示部はフレーム１０を額縁状に形成し、表示面１１は、例えば、液晶表示パネルで形成されており、フレーム１０には、チャンネル選択用のタッチ式またはリモコン用の操作部１２が取り付けられると共に、動作（ＯＮ）状態を示す発光ダイオードなどの表示体１３も取り付けられている。そして、フレーム１０に取り付けた電源供給用のコードを含む吊り紐１４で壁掛け状態で吊すことができるものである。
【００２０】
また、表示部Ｈ−１〜Ｈ−ｎにおいて、例えば、日没後の富士山の映像または海の風景の映像などが、周囲が暗くなって絵画的に表示できない状況になった時には、それを継続して表示する意味がないので、例えば、函館の夜景とか横浜港（ベイブリッジ）の夜景などに切り換えて表示するようにしても良い。
【００２１】
この場合には、予め夜景専用のカメラを設置しておいて、日没によってスイッチオンするスイッチ駆動部材を搭載して置けば自動的に動作するものである。なお、真夜中に渡ってまでも表示する必要がない場合には、夜景専用のカメラの駆動時間を３〜５時間に限定して撮影するようにタイマーを備えて置けば良いのである。そして、日中の風景を撮影するカメラＣ−１〜Ｃ−ｎにおいても、日没によってスイッチオフし、夜明けと共にスイッチオンするスイッチ駆動部材を搭載して置けば良い。
【００２２】
更に、表示部Ｈ−１〜Ｈ−ｎ側においては、例えば、画像データ信号の検出手段を装備しておき、画像データが送信されてこない時間帯、即ち、午後１１時頃から午前６時頃までは、電源をオフにする電源操作手段（電源のオン・オフスイッチ）を設けても良い。このようにすることで、前記スイッチ駆動部材の搭載も含めて、システムとしての節電になるし、表示部の使用寿命も長くすることができるのである。
【産業上の利用可能性】
【００２３】
本発明に係るライブ映像配信システムは、例えば、時間の経過によって変化すると共に、雨天・晴天でも様相が異なり、更に四季折々の景観が異なる複数の景勝地の風景を、それぞれ撮影ポイントを設定してそれぞれ固定したカメラで撮影し、その撮影したそれぞれの映像を各画像データとしてチャンネル毎に分けて同時に配信し、特定された表示手段によって受信した画像データをチャンネル毎に任意に選択して表示できるのであり、その表示は、要するに、観賞用の映像または室内装飾用の絵画態様に表示でき、しかも、送信・受信は接続したままで長時間使用できるブロードバンドなどの回線を利用するので、継続して景観が変化する風景の映像を絵画的に表示できるのであり、特に、一つの表示部でありながら、遠隔地の好みの風景を季節に合わせて選択して表示させることができることによって、変化することのない絵画とは趣が異なる室内装飾品となるのであり、また、季節の観察もできるので、利用価値は高いものである。
【図面の簡単な説明】
【００２４】
【図１】本発明に係るライブ映像配信システムの具体的な構成例を略示的に示した説明図である。
【図２】同ライブ映像配信システムにおいて使用される表示部の具体例を示した正面図である。
【符号の説明】
【００２５】
１  中継手段（中継装置）
１ａ  受信用アンテナ
２  配信手段（配信装置）
２ａ  送信用アンテナ
３  衛星
５、６  特定回線（電話回線、携帯機器向け回線、ブロードバンド回線等）
７  送信機
８  受信用アンテナ
１０  フレーム
１１  表示面
１２  操作部
１３  表示体
１４  吊り紐
Ｃ−１〜Ｃ−ｎ  カメラ
Ｈ−１〜Ｈ−ｎ  表示部
【図１】
2005130163.tif 000003
【図２】
2005130163.tif 000004